(57)【特許請求の範囲】
【請求項１】
四角形の床パネルのコーナーを支持脚で支持するとともに、パネル押えで床パネルを支持脚とで上下から締め付けて固定する床パネルの固定構造であって、床パネルが、コーナー先端の低段部から対角線方向には低段部より高い首部と側面部及び底面部が続いて形成され、支持脚を構成して床パネルを支持する載せ盤が、低段部を受ける受面部と、受面部から対角線方向には首部と側面部との間に入り込む高堰部と、床パネルの底面部を受ける載せ部が形成され、パネル押えが、低段部を受面部とで上下から挟圧する頭部と、支持脚を構成して載せ盤中を挿通するネジ支柱に載せ盤の内周に緊嵌して螺合される胴部が形成された床パネルの固定構造において、受面部の載せ部上面からの高さは、床パネルの底面部から低段部の下面までの高さよりも低く設定する他、高堰部の高さも、首部の下面までの高さよりも低く設定することで、低段部を弾性変形させた状態で挟圧してパネル押えの緩み止め効果を発揮させてなることを特徴とする床パネルの固定構造。
【請求項２】
パネル押えは、胴部の上部と下部において、外周が載せ盤の内周に摺接されるものである請求項１に記載の床パネルの固定構造。
【発明の詳細な説明】
【０００１】
【発明の属する技術分野】
本発明は、基礎床面上に支持脚を介して床パネルを一定高さ浮かせて敷くフリーアクセス用の床パネルにおいて、床パネルの位置ずれを規制できる床パネル固定構造に関するものである。
【０００２】
【従来の技術】
床パネルを支持脚に支持固定する構造には種々のものがあるが、多くの場合、床パネルをパネル押えによって支持脚に対して上から押え付けている。具体的には、鋼板製の床パネルの全周を上面板と下面板とを重合状態で接合させた外周フランジとし、そのコーナー先端に低段部を段押し形成し、この低段部にパネル押えが嵌まり込むようにして（パネル押えを床パネルの上面に突出できないから）支持脚を構成するネジ支柱に螺合し、床パネルコーナーの底面部を支持脚に押え付ける構造をとっている（特開平７−３１７２８２号公報）。
【０００３】
【発明が解決しようとする課題】
しかし、パネル押えを規定量以上に締め込み過ぎる虞があり、低段部を変形させてしまったり、パネル押えと床パネルとの間に段差を生じさせてしまう上に、締め付け力にバラツキが生じる。この固定力は上下方向のみの力であることに加え、低段部周辺は構造上変形し易いから、いくら強固に挟圧したとしても、水平方向のずれ、特に、床パネルに曲げ荷重がかかって撓む際のコーナーにおける荷重載荷点方向へのずれ込みに対しては十分な抑止力が働かない。
【０００４】
従って、人が歩いたり機器を設置する等して床パネルに荷重がかかると、撓んだりすることがある。特に、低段部が占める面積は床パネル全体の面積に比べて僅かであるから、床パネルの中央に荷重がかかると、大きなモーメントになって位置ずれや変形を容易に起こす。加えて、大荷重がかかると、大きく撓んで低段部が破壊を起こしたり、パネル押えから外れてしまい、全く抑止力が働かなくなってしまう。本発明はこのような課題を解決するものであり、水平方向にずれ難い床パネルの固定構造を提供するものである。
【０００５】
【課題を解決するための手段】
以上の課題の下、本発明は、四角形の床パネルのコーナーを支持脚で支持するとともに、パネル押えで床パネルを支持脚とで上下から締め付けて固定する床パネルの固定構造であって、床パネルが、コーナー先端の低段部から対角線方向には低段部より高い首部と側面部及び底面部が続いて形成され、支持脚を構成して床パネルを支持する載せ盤が、低段部を受ける受面部と、受面部から対角線方向には首部と側面部との間に入り込む高堰部と、床パネルの底面部を受ける載せ部が形成され、パネル押えが、低段部を受面部とで上下から挟圧する頭部と、支持脚を構成して載せ盤中を挿通するネジ支柱に載せ盤の内周に緊嵌して螺合される胴部が形成された床パネルの固定構造において、受面部の載せ部上面からの高さは、床パネルの底面部から低段部の下面までの高さよりも低く設定する他、高堰部の高さも、首部の下面までの高さよりも低く設定することで、低段部を弾性変形させた状態で挟圧してパネル押えの緩み止め効果を発揮させてなることを特徴とする床パネルの固定構造を提供したものである。
【０００６】
以上の手段をとることにより、頭部と受面部とは低段部を上下から直接挟圧してパネル押えの締め込みを規制する。更に、高堰部は首部を位置規制するとともに、頭部とで低段部の起立壁を位置規制し、胴部とで低段部を位置規制する。加えて、載せ盤の内周は胴部を位置規制して、床パネル、支持脚及びパネル押えといった複数の部材間の位置ずれ及び変形を互いに規制し合う。
【０００７】
更に、本発明は、以上の床パネルの固定構造が、パネル押えは、胴部の上部と下部において、外周が載せ盤の内周に摺接されるものである手段を提供する。この手段により、パネル押えが確実に安定した状態で固定できる。
【０００８】
【発明の実施の形態】
以下、本発明の実施の形態を図面を参照して説明する。図１は本発明の一例を示す床パネルの固定構造の斜視図、図２は平面図、図３は図２のＡ−Ｏ−Ａ断面図、図４は図２のＢ−Ｂ断面図であるが、この床パネルの固定構造は、床パネル１のコーナーの位置で基礎床面２上に置かれる支持脚３と、支持脚３で支持された床パネル１を支持脚２に固定するパネル押え４とからなる。
【０００９】
このうち、支持脚３は、基礎床面２上に適宜固着されて置かれる接地板５から倒れに対して十分な剛性を有するネジ支柱６が上起しているものであり、ネジ支柱６に螺合したナット７に受け盤８を止め付け、受け盤８で床パネル１を載せる載せ盤９を支持したものである。この場合において、載せ盤９は、その外周端が下方に屈曲して受け盤８の外周を包み込んでおり、又、中央部は、受け盤８に形成された凹陥部の中に突起体が嵌まり込んで位置ずれが規制される構造である。尚、凹嵌部の周壁をほぼ垂直に形成することで、受け盤８と載せ盤９との位置ずれ抑止効果を高めている。
【００１０】
床パネル１は、底面部１５と側面部１１と側面部１１の上端外側に折り曲げ形成した水平フランジとを有する縁付容器状をした下面板に、平板状の上面板を被せて外周を巻き込んで接合した構造の鋼板製のもので、全周に上面板と下面板との重合フランジを有している。コーナー先端の重合フランジに四半径円状の切欠部を有する低段部１０が四半径円状に段押し形成されるものであり、対角線方向には低段部１０の起立壁から所定間隔隔てて側面部１１が降りているものである。従って、起立壁と側面部１１との間は逆Ｕ字形の凹陥部を形成することになるが、これを首部１２とする。側面部１１は、辺に沿って延びて床パネル１の底面を周回しているが、コーナーは対角線方向に対する直交面を形成するよう４５度に面取りされている。
【００１１】
低段部１０に続く辺方向には、辺部に沿って下方へ突出する厚肉縁部１３が側面部１１近くまで延びて形成されている。厚肉縁部１３は、上面板の外周による下面板の水平フランジの巻き込みによって得られるので、特別な加工の必要がなく、下面側へ巻き込んだ上面板の板厚分だけ重合フランジから下方へ突出した厚肉状となっている。この他、低段部１０の起立壁の上端からは平坦な上面部１４に形成され、側面部１１の下端からは底面部１５に形成されている。
【００１２】
パネル押え４は、円板状の頭部１６と頭部１６よりも径の小さな胴部１７とからなるものである。この頭部１６は、４枚の床パネル１のコーナーが集合状態で円状となる低段部１０の中に入り込む径を有しており、胴部１７は、同じく円状となる切欠部の中に入り込む径を有しており、その上部と下部において外周が載せ盤９の内周に摺接させられるものであり、その中心には、ネジ支柱６に螺合できるネジ部が形成されている。
【００１３】
以上の床パネル１は、支持脚３の載せ盤９の上に載せられるが、この場合の載せ盤９は、最内周に低段部１０を受ける受面部１８が中央に胴部１７が入り込む貫通孔を有してドーナツ円状に形成されるとともに、受面部１８に続く対角線方向には受面部１８より高い高堰部１９とこれよりもかなり低い載せ部２０とが連続して形成され、辺方向には高堰部１９よりは低い低堰部２１と低堰部２１よりは低い仕切り部２２とが連続して形成されている。
【００１４】
この場合、受面部１８の載せ部２０上面からの高さを、床パネル１の底面部１５から低段部１０の下面までの高さよりも若干（約０．３〜３．０ｍｍ）低く設定している他、高堰部１９の高さも、同様に首部１２の下面までの高さよりも若干低く設定している。又、高堰部１９の低段部１０側の面は起立壁に沿う形状に、側面部１２側の面は側面部１２に沿う形状にしている。そして、低堰部２１の幅は、隣接する床パネル１の両方の厚肉縁部１３を収容して位置規制を行うために、厚肉縁部１３の幅の倍を有しており、仕切り部２２の幅は、隣接する床パネル１の側面部１１間に入り込んで位置規制を行うために、床パネル１の辺部と側面部１１までの長さの倍を有している。
【００１５】
次に、床パネル１の支持脚３への載せ方であるが、ナット７を上下して載せ盤９を所定の高さに調整したなら、低段部１０が載せ盤９の受面部１８に載り、コーナー両辺の側面部１１が隣接する二つの仕切り部２２の間に嵌まり込む状態にしてその底面部１５を載せ部２０上に置く。すると、対角線方向には首部１２が高堰部１９を内外から挟み込み、辺方向には厚肉縁部１３が低堰部２１に嵌まり込む状態になる。このとき、高堰部１９の厚みを首部１２の幅に合わせておくと、首部１２が高堰部１９を挟圧することになり、位置ずれは一層抑制される。このような操作を四枚の床パネル１について行う。
【００１６】
このとき、基礎床面２の不陸によって支持脚３が傾斜していたり、床パネル１の製造誤差によって低段部１０の高さが揃わない場合があるが、受面部１８の高さを低段部１０の高さに対し、及び高堰部１９の高さを首部１２の高さに対しそれぞれ若干低く設定することで、それらを吸収した状態でのパネル押え４の締め付けを可能にしている。又、低段部１０を弾性変形させた状態で挟圧して、パネル押え４の緩み止め効果も発揮する。
【００１７】
この状態で、パネル押え４をネジ支柱６に螺合して行くと、その胴部１７の外周が載せ盤９の内周に摺接しながら下降して互いに位置ずれ及び変形を規制し合い、頭部１６は、低段部１０の中に入り込んで受面部１８とで低段部１０を直接上下から挟圧する。このとき、頭部１６の外形を低段部１０の内径に合わせておくと、低段部１０の起立壁を高堰部１９とで挟圧することになり、首部１２による高堰部１９の挟圧とで二重の位置ずれ規制構造を構成する。又、胴部１７の外周を低段部１０の内周に摺接するようにしておくことで、低段部１０を高堰部１９とで挟圧することになり、更なる位置ずれ規制構造となる。
【００１８】
以上により、床パネル１が対角線方向にずれようとすると、床パネル１の首部１２による高堰部１９の挟付けを始めとする上述した位置ずれ規制構造が協働的に働き、その位置ずれを確実に規制する。又、辺方向にずれようとしても、上述した位置ずれ規制構造が対角線方向に広がりを有して放射状に形成されているため、その位置ずれを規制するが、床パネル１の厚肉縁部１３の低堰部２０への嵌まり込み及び側面部１２の仕切り部２２間への嵌まり込みにより、その位置ずれを一層確実に規制する。このようにして、床パネル１は、対角線方向にも辺方向にも、位置ずれが二重、三重に規制される。
【００１９】
【発明の効果】
以上、本発明によれば、床パネルは、確実かつ強固な上下方向の挟圧に加えて、二重、三重の水平方向の位置ずれ規制構造によって対角線方向、辺方向ともに変位（位置ずれ）を規制されるから、荷重による撓みや変形、地震等によるせり上がりや脱落を起こり難くする。このことは、パネル押えによる上下の挟圧を過度に強くしなくてもよいことを意味し、局部的な変形や段差を解消して仕上がりの美観を損なわせない。
【００２０】
特に、荷重による低段部の位置ずれ及び変形を強力に抑制することによって、床パネルの撓み量を大幅に低減させ、破壊荷重を大幅に引き上げることができる。このことは、従来品と同等の強度性能に設定すれば、支持脚部材やパネル押えの小径又は薄肉化によって材料コストや輸送コストの低減が可能となることを意味し、高価であった固定方式の二重床システムが安価に提供できるようになる。
【図面の簡単な説明】
【図１】本発明の一例を示す床パネル支持構造の斜視図である。
【図２】本発明の一例を示す床パネル支持構造の平面図である。
【図３】図２のＡ−Ｏ−Ａ断面図である。
【図４】図２のＢ−Ｂ断面図である。
【符号の説明】
１    床パネル
３    支持脚
４    パネル押え
６    ネジ支柱
９    載せ盤
１０  低段部
１１  側面部
１２  首部
１３  厚肉縁部
１５  底面部
１６  頭部
１７  胴部
１８  受面部
１９  高堰部
２０  載せ部
２１  低堰部
【図１】
0004198279.tif 000002
【図２】
0004198279.tif 000003
【図３】
0004198279.tif 000004
【図４】
0004198279.tif 000005